(57)【要約】【課題】製造コストを低減することが可能な集配電部材の保持構造、電動機、及び電動機の製造方法を提供する。【解決手段】環状に配置された複数のコア３１と、複数のコア３１にそれぞれ巻き回された巻線３２と、コア３１と巻線３２との間を絶縁するインシュレータ３３とを備えたステータ３に、巻線３２に電流を集配電する環状の第１乃至第４のバスリング４１〜４４を保持する保持構造は、インシュレータ３３に第１乃至第４のバスリング４１〜４４を保持する保持部３３ａが形成されており、第１乃至第４のバスリング４１〜４４がこの保持部３３ａに保持される。【選択図】図２
2015046960.tif 000002
【特許請求の範囲】
【請求項１】
環状に配置された複数のコアと、前記複数のコアにそれぞれ巻き回された巻線と、前記コアと前記巻線との間を絶縁するインシュレータとを備えたステータに、前記巻線に電流を集配電する環状の複数の集配電部材を保持する集配電部材の保持構造であって、
前記インシュレータには、前記複数の集配電部材を保持する保持部が形成されており、
前記複数の集配電部材が前記保持部に保持された、
集配電部材の保持構造。
【請求項２】
前記保持部は、前記複数の集配電部材を一括して前記ステータの軸方向に沿って支持する支持部と、前記支持部に対する前記複数の集配電部材の前記軸方向への移動を規制する規制部とを有する、
請求項１に記載の集配電部材の保持構造。
【請求項３】
前記規制部は、前記支持部の前記軸方向の端部に設けられて前記ステータの径方向に突出する突起であり、
前記複数の集配電部材は、前記保持部に対する軸方向の相対移動によって前記突起を越えて前記保持部に保持される、
請求項２に記載の集配電部材の保持構造。
【請求項４】
前記支持部は、前記ステータの軸方向に延在し、
前記複数の集配電部材は、前記支持部における前記ステータの径方向外側に保持される、
請求項２又は３に記載の集配電部材の保持構造。
【請求項５】
前記保持部は、前記複数の集配電部材よりも前記ステータの径方向外側に形成されて前記複数の集配電部材に対向する外周壁部をさらに有する、
請求項４に記載の集配電部材の保持構造。
【請求項６】
前記集配電部材は、金属導体をＵ字状に屈曲して形成されたＵ字部と、前記保持部に保持される被保持部と、前記Ｕ字部の両端と前記被保持部との間に径方向に延在して設けられた一対の延在部とを一体に有し、
前記Ｕ字部に前記巻線の端部が挿通された状態で、前記集配電部材と前記巻線とが電気的に接続された、
請求項１乃至５の何れか１項に記載の集配電部材の保持構造。
【請求項７】
前記集配電部材と前記巻線とが、前記巻線の端部が挿通された状態の前記Ｕ字部を加締めることによって電気的に接続された、
請求項６に記載の集配電部材の保持構造。
【請求項８】
前記Ｕ字部には錫メッキが施され、
前記集配電部材と前記巻線とが、前記巻線の端部が挿通された状態の前記Ｕ字部を熱加締めすることによって電気的に接続された、
請求項６に記載の集配電部材の保持構造。
【請求項９】
前記一対の延在部は、前記Ｕ字部が前記巻線の端部に電気的に接続された状態で、互いに接触しない、
請求項７又は８に記載の集配電部材の保持構造。
【請求項１０】
前記ステータには、複数の前記支持部が前記ステータの周方向に沿って間隔をあけて配置され、
前記集配電部材は、前記巻線に接続される接続部が前記ステータの周方向に隣り合う一対の前記支持部の間から前記ステータの径方向内側に突出して配置されている、
請求項４又は５に記載の集配電部材の保持構造。
【請求項１１】
前記ステータの周方向に隣り合う一対の前記保持部間の間隔が、前記接続部の周方向の幅に対応した間隔である、
請求項１０に記載の集配電部材の保持構造。
【請求項１２】
前記複数の集配電部材は、同一の形状である、
請求項１乃至１１の何れか１項に記載の集配電部材の保持構造。
【請求項１３】
前記複数の巻線のうち少なくとも一部の巻線は、前記ステータの軸方向における前記複数の集配電部材の位置に応じて屈曲された、
請求項１２に記載の集配電部材の保持構造。
【請求項１４】
環状に配置された複数のコア、前記コアに巻き回されたＵ相、Ｖ相、及びＷ相の巻線、及び前記コアと前記巻線との間を絶縁するインシュレータを備えたステータと、
前記Ｕ相の巻線に電流を集配電する環状の第１の集配電部材と、
前記Ｖ相の巻線に電流を集配電する環状の第２の集配電部材と、
前記Ｗ相の巻線に電流を集配電する環状の第３の集配電部材と
を備え、
前記インシュレータには、前記第１乃至第３の集配電部材を保持する保持部が形成されており、
前記第１乃至第３の集配電部材が前記保持部に保持された、
電動機。
【請求項１５】
前記保持部に前記第１乃至第３の集配電部材と共に保持され、前記Ｕ相、Ｖ相、及びＷ相の巻線に接続される中性相の環状の第４の集配電部材をさらに備え、
前記第４の集配電部材は、径方向内方に開口するＵ字状の複数の接続部を有し、前記Ｕ相、Ｖ相、及びＷ相の巻線の端部が挿通された状態の前記第４の集配電部材の前記接続部を加締めることによって、前記Ｕ相、Ｖ相、及びＷ相の巻線に電気的に接続された、
請求項１４に記載の電動機。
【請求項１６】
請求項１４又は１５に記載の電動機の製造方法であって、
前記保持部に前記第１乃至第３の集配電部材を保持する保持工程と、
前記Ｕ相、Ｖ相、及びＷ相の巻線と前記第１乃至第３の集配電部材とを接続する接続工程とを有する、
電動機の製造方法。
【請求項１７】
前記Ｕ相、Ｖ相、及びＷ相の巻線のうち少なくとも一部の巻線を前記第１乃至第３の集配電部材における前記ステータの軸方向の位置に応じて屈曲し、前記第１乃至第３の集配電部材との接続部位の位置を合わせる位置合わせ工程をさらに有する、
請求項１６に記載の電動機の製造方法。
【請求項１８】
請求項１５に記載の電動機の製造方法であって、
前記第４の集配電部材は、弾性的に縮径した状態で前記Ｕ相、Ｖ相、及びＷ相の巻線の端部が前記接続部に挿通され、
前記Ｕ相、Ｖ相、及びＷ相の巻線の端部は、前記第４の集配電部材の復元に伴う拡径によって前記接続部の奥側に配置される、
電動機の製造方法。
【発明の詳細な説明】
【技術分野】
【０００１】
本発明は、巻線に電流を集配電する集配電部材の保持構造、電動機、及び電動機の製造方法に関する。
【背景技術】
【０００２】
従来、環状に配置された複数のコアにそれぞれ巻き回された複数相の巻線と、コアと巻線との間に介在してコアと巻線とを絶縁する絶縁部材からなるインシュレータと、複数のコアと同軸に配置され、複数相の巻線に電流を集配電する環状の集配電部材とを有する電動機が提案されている（例えば、特許文献１参照）。
【０００３】
特許文献１に記載の電動機における集配電リングは、同軸上に配置された複数の集配電部材としてのバスリングと、複数のバスリングを相互に固定する複数の固定部材とを有している。複数の固定部材は、複数のバスリングのうち何れかのバスリングに接続された接続端子を挟んで周方向に間隔をあけて配置され、モールド加工によって形成されている。
【０００４】
複数の固定部材は、径方向外方側の表面から径方向外方に向かって突出する突出部を備え、この突出部が絶縁ボビンの外周壁部に設けられた穴部に装着可能とされている。この絶縁ボビンは、鉄心（コア）に装着される絶縁性樹脂材からなり、鉄心と巻線とを絶縁するインシュレータとして機能する。
【先行技術文献】
【特許文献】
【０００５】
【特許文献１】特開２００９−２６１０８２号公報
【特許文献２】特開２００７−１７４８６９号公報
【発明の概要】
【発明が解決しようとする課題】
【０００６】
特許文献１に記載の電動機では、固定部材を成形するための金型が必要となり、また製造工程においては、この金型に複数のバスリングをセットしてキャビティに樹脂を注入するモールド加工工程が必要となっていた。このため、固定部材の成形のために電動機の製造コストが嵩んでいた。
【０００７】
そこで、本発明は、製造コストを低減することが可能な集配電部材の保持構造、電動機、及び電動機の製造方法を提供することを目的とする。
【課題を解決するための手段】
【０００８】
本発明は、上記課題を解決することを目的として、環状に配置された複数のコアと、前記複数のコアにそれぞれ巻き回された巻線と、前記コアと前記巻線との間を絶縁するインシュレータとを備えたステータに、前記巻線に電流を集配電する環状の複数の集配電部材を保持する集配電部材の保持構造であって、前記インシュレータには、前記複数の集配電部材を保持する保持部が形成されており、前記複数の集配電部材が前記保持部に保持された、集配電部材の保持構造を提供する。
【０００９】
また、本発明は、上記課題を解決することを目的として、環状に配置された複数のコア、前記コアに巻き回されたＵ相、Ｖ相、及びＷ相の巻線、及び前記コアと前記巻線との間を絶縁するインシュレータを備えたステータと、前記Ｕ相の巻線に電流を集配電する環状の第１の集配電部材と、前記Ｖ相の巻線に電流を集配電する環状の第２の集配電部材と、前記Ｗ相の巻線に電流を集配電する環状の第３の集配電部材とを備え、前記インシュレータには、前記第１乃至第３の集配電部材を保持する保持部が形成されており、前記第１乃至第３の集配電部材が前記保持部に保持された電動機を提供する。
【００１０】
また、本発明は、上記課題を解決することを目的として、上記電動機の製造方法であって、前記保持部に前記第１乃至第３の集配電部材を保持する保持工程と、前記Ｕ相、Ｖ相、及びＷ相の巻線と前記第１乃至第３の集配電部材とを接続する接続工程とを有する、電動機の製造方法を提供する。
【発明の効果】
【００１１】
本発明によれば、集配電部材を直接的にインシュレータに保持することができ、製造コストを低減することが可能となる。
【図面の簡単な説明】
【００１２】
【図１】本発明の第１の実施の形態に係る集配電リングを備えた電動機の概略の構成例を説明するために示す模式図である。
【図２】（ａ）は、ステータ及び第１乃至第４のバスリングを示す斜視図である。（ｂ）は、（ａ）の一部拡大図である。
【図３】ステータ及び第１乃至第４のバスリングをその中心軸方向から見た平面図である。
【図４】第１乃至第４のバスリングをステータから分離して示す分解斜視図である。
【図５】インシュレータ及びコアを示す斜視図である。
【図６】コア組立体を示し、（ａ）は平面図、（ｂ）は側面図、（ｃ）は正面図、（ｄ）は斜視図である。
【図７】第１のバスリングの接続部を示し、（ａ）は平面図、（ｂ）は正面図である。
【図８】（ａ）は、集配電リングの一部を軸方向から見た平面図である。（ｂ）は、コア組立体の平面図である。
【図９】コア組立体の断面を示し、（ａ）は図８（ｂ）のＡ−Ａ線断面の一方を見た断面図、（ｂ）は図８（ｂ）のＡ−Ａ線断面の他方を見た断面図である。
【図１０】（ａ）〜（ｃ）は、保持工程及び位置合わせ工程を説明するための説明図である。
【図１１】第４のバスリングを示す平面図であり、（ａ）は保持工程を行う前の状態を、（ｂ）は保持工程において第４のバスリングを収容空間に挿入する際の状態を、それぞれ示す。
【図１２】第１の接続工程を説明するための模式図であり、（ａ）は第１の接続工程を行う前の第１のバスリングのＵ字部及びＵ相の巻線の一方の端部を、（ｂ）は第１の接続工程を行った後の第１のバスリングのＵ字部及びＵ相の巻線の一方の端部を示している。
【図１３】第２の実施の形態に係るインシュレータの第２の支持壁及びその周辺部を拡大して示す断面図である。
【発明を実施するための形態】
【００１３】
［第１の実施の形態］
（電動機の全体構成）
図１は、本発明の第１の実施の形態に係る集配電リング４を備えた電動機１の概略の構成例を説明するために示す模式図である。
【００１４】
この電動機１は、回転子であるロータ２と、固定子であるステータ３と、ステータ３に保持された第１乃至第４のバスリング４１〜４４からなる集配電リング４とを備えている。
【００１５】
ロータ２は、図略の軸受によってステータ３と同軸上で回転可能に支持されたシャフト２１と、シャフト２１の外周面に固定された複数の磁極を有する円筒状の磁石２２とを有している。
【００１６】
ステータ３は、環状に配置された複数のコア３１と、コア３１の外周囲に巻き回された巻線３２と、後述するインシュレータ３３（図２に示す）とを備えている。本実施の形態では、１２個のコア３１がステータ３の周方向に沿って配置されている。これら１２個のコア３１は、その位置によってＵ相のコア３１Ｕ、Ｖ相のコア３１Ｖ、及びＷ相のコア３１Ｗに分類され、図１に示すロータ２の回転方向Ｒに沿って、Ｕ相のコア３１Ｕの隣にＶ相のコア３１Ｖが、Ｖ相のコア３１Ｖの隣にＷ相のコア３１Ｗが、Ｗ相のコア３１Ｗの隣にＵ相のコア３１Ｕが、それぞれ配置されている。
【００１７】
Ｕ相のコア３１Ｕに巻き回された巻線３２はＵ相の巻線３２Ｕであり、Ｖ相のコア３１Ｖに巻き回された巻線３２はＶ相の巻線３２Ｖであり、Ｗ相のコア３１Ｗに巻き回された巻線３２はＷ相の巻線３２Ｗである。Ｕ相の巻線３２Ｕは、第１のバスリング４１によって集配電（集電及び配電）される。Ｖ相の巻線３２Ｖは、第２のバスリング４２によって集配電される。また、Ｗ相の巻線３２Ｗは、第３のバスリング４３によって集配電される。
【００１８】
Ｕ相の巻線３２Ｕの両端部のうち、一方の端部３２１Ｕは第１のバスリング４１に電気的に接続され、他方の端部３２２Ｕは第４のバスリング４４に電気的に接続されている。Ｖ相の巻線３２Ｖの両端部のうち、一方の端部３２１Ｖは第２のバスリング４２に電気的に接続され、他方の端部３２２Ｖは第４のバスリング４４に電気的に接続されている。また、Ｗ相の巻線３２Ｗの両端部のうち、一方の端部３２１Ｗは第３のバスリング４３に電気的に接続され、他方の端部３２２Ｗは第４のバスリング４４に電気的に接続されている。
【００１９】
第１のバスリング４１は本発明の第１の集配電部材の一態様であり、第２のバスリング４２は本発明の第２の集配電部材の一態様である。また、第３のバスリング４３は本発明の第３の集配電部材の一態様である。第４のバスリング４４は、中性相の第４のバスリング４４の一態様である。
【００２０】
第１乃至第３のバスリング４１〜４３には、それぞれ給電端子４１０，４２０，４３０が接続され、この給電端子４１０，４２０，４３０を介して図略のインバータから１２０°ずつ位相がずれた正弦波状の駆動電流が供給される。この駆動電流によってステータ３に回転磁界が形成され、磁石２２がこの回転磁界による吸引力及び反発力により回転力を受けてシャフト２１をその回転軸線Ｏを中心として回転させる。第１乃至第３のバスリング４１〜４３は、後述する保持構造によってステータ３に固定されている。
【００２１】
図２（ａ）は、ロータ２を省略してステータ３及び第１乃至第４のバスリング４１〜４４を示す斜視図である。図２（ｂ）は、図２（ａ）の一部拡大図である。図３は、ステータ３及び第１乃至第４のバスリング４１〜４４をその中心軸方向から見た平面図である。図４は、第１乃至第４のバスリング４１〜４４をステータ３から分離して示す分解斜視図である。なお、以下の説明において、ステータ３の軸方向，径方向，周方向を、単に「軸方向」，「径方向」，「周方向」ということがある。
【００２２】
ステータ３は、複数の電磁鋼板３１０を積層してなるコア３１にインシュレータ３３を装着し、コア３１の外周にインシュレータ３３を介在させて巻線３２を巻き回した複数のコア組立体３０からなる。本実施の形態では、ステータ３が１２個のコア組立体３０を環状に配置したリング状である。
【００２３】
インシュレータ３３には、第１乃至第４のバスリング４１〜４４を保持する保持部３３ａが形成されている。第１乃至第４のバスリング４１〜４４は、軸方向に沿って同心状に並列し、保持部３３ａに保持されている。保持部３３ａの構成の詳細については後述する。
【００２４】
保持部３３ａは、巻線３２（Ｕ相の巻線３２Ｕ，Ｖ相の巻線３２Ｖ，及びＷ相の巻線３２Ｗ）よりもステータ３の外周側に設けられ、巻線３２の一方の端部３２１Ｕ，３２１Ｖ，３２１Ｗが径方向外側に延出されて第１乃至第３のバスリング４１〜４３に接続されている。巻線３２の他方の端部３２２Ｕ，３２２Ｖ，３２２Ｗは、軸方向に沿ってインシュレータ３３から引き出されて第４のバスリング４４に接続される。
【００２５】
第１乃至第４のバスリング４１〜４４は、銅等の良導電性の金属からなる線状の中心導体（金属導体）４００を樹脂からなる絶縁体４０１で被覆した絶縁電線を屈曲して形成されている。第１乃至第３のバスリング４１〜４３の両端部では、絶縁体４０１から中心導体４００が露出し、この露出した中心導体４００に給電端子４１０，４２０，４３０がそれぞれ圧着により接続されている。すなわち、第１乃至第３のバスリング４１〜４３のそれぞれは、線状導体としての中心導体４００を環状に形成してなり、中心導体４００の両端部が一つの端子（給電端子４１０，４２０，４３０）に接続されている。なお、本実施の形態では、中心導体４００が単線からなるが、中心導体４００は、複数の素線を撚り合わせた撚線であってもよい。
【００２６】
図４に示すように、第１のバスリング４１は、Ｕ相の巻線３２Ｕの一方の端部３２１Ｕに接続される接続部４１ａを周方向の４箇所に有している。第２のバスリング４２は、Ｖ相の巻線３２Ｖの一方の端部３２１Ｖに接続される接続部４２ａを周方向の４箇所に有している。また、第３のバスリング４３は、Ｗ相の巻線３２Ｗの一方の端部３２１Ｗに接続される接続部４３ａを周方向の４箇所に有している。これらの接続部４１ａ，４２ａ，４３ａでは、絶縁体４０１が除去され、中心導体４００が露出している。本実施の形態では、第１乃至第３のバスリング４１〜４３が同一の形状である。
【００２７】
第４のバスリング４４は、保持部３３ａに第１乃至第３のバスリング４１〜４３と共に保持され、巻線３２の他方の端部３２２Ｕ，３２２Ｖ，３２２Ｗに電気的に接続される接続部４４ａを周方向の１２箇所に有している。この接続部４４ａでは、第１乃至第３のバスリング４１〜４３の接続部４１ａ，４２ａ，４３ａと同様に、絶縁体４０１が除去されて中心導体４００が露出している。接続部４４ａは、径方向内方に開口するＵ字状である。
【００２８】
（インシュレータ及びコア組立体の構成）
図５は、インシュレータ３３及びコア３１を示す斜視図である。図６は、コア組立体３０を示し、（ａ）は平面図、（ｂ）は側面図、（ｃ）は正面図、（ｄ）は斜視図である。
【００２９】
インシュレータ３３は、図５に示すように、第１部材５と第２部材６とを組み合わせてなり、第１部材５及び第２部材６は、それぞれが射出成型によって形成された樹脂等の絶縁体からなる。第１部材５は、コア３１と巻線３２との間に介在する絶縁部５０と、絶縁部５０を径方向に挟んで対向する外壁部５１及び内壁部５２と、外壁部５１からステータ３の外周側に向かって突出し、軸方向に対して直交する上面５３ａを有する外鍔部５３と、外鍔部５３の上面５３ａに立設された第１乃至第３の支持壁５４〜５６と、第２の支持壁５５の先端部に設けられた突起５７と、外鍔部５３の外周側の周縁に沿って第１乃至第３の支持壁５４〜５６に径方向に向かい合うように設けられた周縁壁５８と、外壁部５１と外鍔部５３との間の角部に設けられ、巻線３２の端部が外鍔部５３の上面５３ａ側に引き出される引き出し部５９とを一体に有している。
【００３０】
第２部材６は、コア３１と巻線３２との間に介在する絶縁部６０と、絶縁部６０を径方向に挟んで対向する外壁部６１及び内壁部６２とを一体に有している。
【００３１】
コア３１は、第１部材５の絶縁部５０と第２部材６の絶縁部６０との間に挟まれて径方向に延在する延在部３１１と、径方向における延在部３１１の外側に連続して形成され、周方向に延びるバックヨーク部３１２とを一体に有している。バックヨーク部３１２は、周方向一側の端部に円弧状の凸部３１２ａを有し、周方向他側の端部に凹部３１２ｂが形成されている。凸部３１２ａは、隣接して配置される他のコア３１の凹部３１２ｂに嵌合する。また、延在部３１１は、径方向における内側の端部が周方向に広がるように形成されている。
【００３２】
第１部材５と第２部材６とは、ステータ３の軸方向に沿って絶縁部５０，６０の間にコア３１の延在部３１１を挟むように組み合わされる。第１部材５と第２部材６とを組み合わせることにより、第１部材５の外壁部５１と第２部材６の外壁部６１とが連続した１枚の壁状となり、第１部材５の内壁部５２と第２部材６の内壁部６２とが同じく連続した１枚の壁状となる。
【００３３】
図６に示すように、巻線３２は、第１部材５及び第２部材６の外壁部５１，６１と内壁部５２，６２との間で、絶縁部５０，６０の外周側に巻き回される。第１部材５の外壁部５１には、軸方向の端部から外鍔部５３の上面５３ａに向かって軸方向に延びる切り欠き５１ａが形成され、この切り欠き５１ａからステータ３の外周側に向かって巻線３２の一方の端部３２１が突出している。この一方の端部３２１は、コア組立体３０の配置位置によって、Ｕ相の巻線３２Ｕの一方の端部３２１Ｕ，Ｖ相の巻線３２Ｖの一方の端部３２１Ｖ，Ｗ相の巻線３２Ｗの一方の端部３２１Ｗの何れかとなる。
【００３４】
また、引き出し部５９からは、巻線３２の他方の端部３２２が軸方向に沿って突出している。この他方の端部３２２は、コア組立体３０の配置位置によって、Ｕ相の巻線３２Ｕの他方の端部３２２Ｕ，Ｖ相の巻線３２Ｖの他方の端部３２２Ｖ，Ｗ相の巻線３２Ｗの他方の端部３２２Ｗの何れかとなる。
【００３５】
第１乃至第３の支持壁５４〜５６は、周方向に並列し、第２の支持壁５５が第１の支持壁５４と第３の支持壁５６との間に配置されている。第１の支持壁５４及び第３の支持壁５５は、外鍔部５３における周方向の両端部に配置されている。複数のコア組立体３０が周方向に配置されることにより、第１の支持壁５４は、隣接する他のコア組立体３０の第３の支持壁５５に連続する。
【００３６】
第２の支持壁５５は、外鍔部５３の上面５３ａからステータ３の軸方向に延在し、周方向の幅が切り欠き５１ａと引き出し部５９との間隔よりも狭く形成されている。第２の支持壁５５の幅方向（ステータ３の周方向）の両端部には、一対のガイド部５５１，５５２が形成されている。一対のガイド部５５１，５５２は、軸方向から見た場合にその形状が円弧状であり、第２の支持壁５５の径方向外側の外表面は、一方のガイド部５５１から他方のガイド部５５２まで滑らかに連続して形成されている。
【００３７】
第１の支持壁５４は、第２の支持壁５５との間に第１乃至第３のバスリング４１〜４３の接続部４１ａ，４２ａ，４３ａを挿入可能な間隔をあけて周方向に沿って配置されている。第１乃至第３のバスリング４１〜４３は、接続部４１ａ，４２ａ，４３ａが周方向に隣り合う第１の支持壁５４と第２の支持壁５５の間からステータ３の径方向内側に突出して配置されている。
【００３８】
第１の支持壁５４における第２の支持壁５５側の端部には、ガイド部５４１が形成されている。このガイド部５４１は、第２の支持壁５５の一対のガイド部５５１，５５２と同様に、軸方向から見た形状が円弧状である。
【００３９】
第３の支持壁５６は、第２の支持壁５５との間に第４のバスリング４４の接続部４４ａを挿入可能な隙間を挟んで周方向に並列している。第３の支持壁５６における第２の支持壁５５側の端部には、ガイド部５６１が形成されている。このガイド部５６１は、第２の支持壁５５の一対のガイド部５５１，５５２と同様に、軸方向から見た形状が円弧状である。
【００４０】
突起５７は、第２の支持壁５５におけるステータ３の軸方向の端部に設けられ、径方向に突出している。より詳細には、突起５７は、第２の支持壁５５の幅方向の中央部において、第２の支持壁５５の外表面から径方向外側に向かって突出している。
【００４１】
周縁壁５８は、第１乃至第４のバスリング４１〜４４よりもステータ３の径方向外側に形成され、第１乃至第４のバスリング４１〜４４に径方向に対向する。この周縁壁５８は、周方向の少なくとも一部において第１乃至第３の支持壁５４〜５６との間に第１乃至第４のバスリング４１〜４４を挟むように、ステータ３の周方向に沿って延在している。また、周縁壁５８は、突起５７及び引き出し部５９の径方向外側にあたる部分が開口している。これにより、インシュレータ３３の第１部材５の射出成型時において、突起５７及び引き出し部５９を成形するための金型を径方向に移動させることが可能となっている。
【００４２】
第１乃至第３の支持壁５４〜５６、突起５７、及び周縁壁５８は、インシュレータ３３の保持部３３ａを構成する。この保持部３３ａ（第１乃至第３の支持壁５４〜５６、突起５７、及び周縁壁５８）は、インシュレータ３３を形成するための金型により、絶縁部５０、外壁部５１、内壁部５２、及び外鍔部５３と同時に形成される。
【００４３】
保持部３３を構成する第１乃至第３の支持壁５４〜５６、突起５７、及び周縁壁５８のうち、第１乃至第３の支持壁５４〜５６は、それぞれが第１乃至第４のバスリング４１〜４４を一括してステータ３の軸方向に沿って支持する支持部として機能する。突起５７は、この支持部（第１乃至第３の支持壁５４〜５６）に対する第１乃至第４のバスリング４１〜４４の軸方向への移動を規制する規制部として機能する。すなわち、保持部３３ａは、第１乃至第４のバスリング４１〜４４を一括してステータ３の軸方向に沿って支持する支持部と、この支持部に対するステータ３の軸方向への第１乃至第４のバスリング４１〜４４の移動を規制する規制部とを有している。また、周縁壁５８は、第１乃至第４のバスリング４１〜４４の径方向外側への移動を規制する外周壁部として機能する。
【００４４】
（第１乃至第４のバスリング４１〜４４の構成）
図７は、第１のバスリング４１の接続部４１ａを示し、（ａ）は平面図、（ｂ）は正面図。
【００４５】
第１のバスリング４１は、中心導体４００をＵ字状に屈曲して形成されたＵ字部４１１と、保持部３３ａに保持される被保持部４１２と、Ｕ字部４１１の両端と被保持部４１２との間に径方向に延在して設けられた一対の延在部４１３とを一体に有している。第１のバスリング４１における一対の延在部４１３のうち、一方の延在部４１３と他方の延在部４１３とは周方向に離間しており、一方の延在部４１３と他方の延在部４１３との間の隙間からＵ字部４１１にＵ相の巻線３２Ｕの一方の端部３２１Ｕを挿通させることが可能となっている。
【００４６】
第１のバスリング４１において、被保持部４１２と延在部４１３とは折り曲げ部４１３ａで折り曲げられている。一方の延在部４１３における折り曲げ部４１３ａと他方の延在部４１３における折り曲げ部４１３ａとは、周方向に離間している。本実施の形態では、折り曲げ部４１３ａにおける折り曲げ角（被保持部４１２と延在部４１３とがなす角）が鈍角であり、一対の延在部４１３は、径方向内側ほど（Ｕ字部４１１に近づくほど）互いの間隔が狭くなっている。すなわち、一対の延在部４１３は、第１のバスリング４１の径方向に対して傾斜しながら、径方向内方に向かって延在している。
【００４７】
Ｕ字部４１１は、図７（ｂ）に示すように、円弧状の円弧部４１１ａと、円弧部４１１ａを挟んで周方向に対向し、軸方向に延びる一対の軸部４１１ｂ，４１１ｃとからなる。第１のバスリング４１は、Ｕ字部４１１にＵ相の巻線３２Ｕの一方の端部３２１Ｕが挿通された状態で、Ｕ相の巻線３２Ｕと電気的に接続される。
【００４８】
また、図４に示すように、第２のバスリング４２の接続部４２ａ、及び第３のバスリング４３の接続部４３ａは、第１のバスリング４１の接続部４１ａと同形状である。すなわち、第２及び第３のバスリング４２，４３の接続部４２ａ，４３ａは、中心導体４００をＵ字状に屈曲して形成されたＵ字部４２１，４３１と、保持部３３ａに保持される被保持部４２２，４３２と、Ｕ字部４２１，４３１の両端と被保持部４２２，４３２との間に径方向に延在して設けられた一対の延在部４２３，４３３とをそれぞれ一体に有している。
【００４９】
第２のバスリング４２における一対の延在部４２３のうち、一方の延在部４２３と他方の延在部４２３とは周方向に離間しており、一方の延在部４２３と他方の延在部４２３との間の隙間からＵ字部４２１にＶ相の巻線３２Ｖの一方の端部３２１Ｖを挿通させることが可能となっている。また、第３のバスリング４３における一対の延在部４３３のうち、一方の延在部４３３と他方の延在部４３３とは周方向に離間しており、一方の延在部４３３と他方の延在部４３３との間の隙間からＵ字部４３１にＷ相の巻線３２Ｗの一方の端部３２１Ｗを挿通させることが可能となっている。
【００５０】
第２のバスリング４２は、Ｕ字部４２１にＶ相の巻線３２Ｖの一方の端部３２１Ｖが挿通された状態で、Ｖ相の巻線３２Ｖと電気的に接続される。第３のバスリング４３は、Ｕ字部４３１にＷ相の巻線３２Ｗの一方の端部３２１Ｗが挿通された状態で、Ｗ相の巻線３２Ｗと電気的に接続される。
【００５１】
第１の支持壁５４と第２の支持壁５５との間隔は、第１乃至第３のバスリング４１〜４３の接続部４１ａ，４２ａ，４３ａの周方向の幅に対応した間隔である。ここで、「対応した間隔」とは、第１の支持壁５４と第２の支持壁５５との間に一対の延在部４１３，４２３，４３３を配置可能であり、かつ一対の延在部４１３，４２３，４３３と第１の支持壁５４のガイド部５４１及び第２の支持壁５５のガイド部５５１との周方向の当接により、Ｕ字部４１１，４２１，４３１を切り欠き５１ａに対向する位置に位置決めすることが可能となる寸法関係を有していることをいう。
【００５２】
また、第３の支持壁５６と第２の支持壁５５との間隔は、第４のバスリング４４の接続部４４ａの周方向の幅に対応した間隔である。ここで、「対応した間隔」とは、第３の支持壁５６と第２の支持壁５５との間に接続部４４ａを配置可能であり、かつ第２の支持壁５５のガイド部５５２及び第３の支持壁５６のガイド部５６１と接続部４４ａとの当接により、接続部４４ａを引き出し部５９に対向する位置に位置決めすることが可能となる寸法関係を有していることをいう。
【００５３】
図８（ａ）は、集配電リング４の一部を軸方向から見た平面図である。図８（ｂ）は、コア組立体３０の平面図である。
【００５４】
図８（ａ），（ｂ）に示すように、第１のバスリング４１の接続部４１ａの周方向の幅をＷＵ、第４のバスリング４４の接続部４４ａの周方向の幅をＷＮ、第１の支持壁５４と第２の支持壁５５との間隔をＤ１、第３の支持壁５６と第２の支持壁５５との間隔をＤ２とすると、間隔Ｄ１は幅ＷＵよりも僅かに大きく、間隔Ｄ２は幅ＷＮよりも僅かに大きい。間隔Ｄ１は、例えば幅ＷＵの１．０１以上１．１倍以下である。また、間隔Ｄ２は、例えば幅ＷＮの１．０１以上１．１倍以下である。
【００５５】
これにより、第１のバスリング４１の接続部４１ａを第１の支持壁５４と第２の支持壁５５との間に嵌め込むことで接続部４１ａを位置決めすることができ、Ｕ字部４１１に巻線３２Ｕの一方の端部３２１Ｕを挿通させることが容易となる。また、第４のバスリング４４の接続部４４ａを第３の支持壁５６と第２の支持壁５５との間に嵌め込むことで接続部４４ａを位置決めすることができ、接続部４４ａにＵ相の巻線３２Ｕの他方の端部３２２Ｕを挿通させることが容易となる。
【００５６】
なお、間隔Ｄ１は、第１の支持壁５４と第２の支持壁５５との間の最少間隔（第１の支持壁５４のガイド部５４１の周方向端部と第２の支持壁５５のガイド部５５１の周方向端部との間の間隔）であり、間隔Ｄ２は、第３の支持壁５６と第２の支持壁５５との間の最少間隔（第３の支持壁５６のガイド部５６１の周方向端部と第２の支持壁５５のガイド部５５２の周方向端部との間の間隔）である。また、第１のバスリング４１の接続部４１ａの周方向の幅ＷＵは、第１の支持壁５４のガイド部５４１の周方向端部と第２の支持壁５５のガイド部５５１の周方向端部との間における一対の延在部４１３の周方向の幅であり、第４のバスリング４４の接続部４４ａの周方向の幅ＷＮは、第３の支持壁５６のガイド部５６１の周方向端部と第２の支持壁５５のガイド部５５２の周方向端部との間における接続部４４ａの周方向の幅である。
【００５７】
また、図８（ａ）では、例として第１のバスリング４１の接続部４１ａを示しているが、第２及び第３のバスリング４２，４３の接続部４２ａ，４３ａの周方向の幅は、第１のバスリング４１の接続部４１ａの周方向の幅ＷＵと同じであり、第２及び第３のバスリング４２，４３の接続部４２ａ，４３ａを第１の支持壁５４と第２の支持壁５５との間に嵌め込むことで接続部４２ａ，４３ａを同様に位置決めすることができる。
【００５８】
（第１乃至第４のバスリング４１〜４４の保持構造）
図９は、コア組立体３０の断面を示し、（ａ）は図８（ｂ）のＡ−Ａ線断面の第１の支持壁５４側を見た断面図、（ｂ）は図８（ｂ）のＡ−Ａ線断面の第３の支持壁５６側を見た断面図である。図９（ａ）及び（ｂ）では、インシュレータ３３の保持部３３ａに保持される第１乃至第４のバスリング４１〜４４の被保持部４１２，４２２，４３２を二点鎖線で示している。
【００５９】
第１乃至第４のバスリング４１〜４４は、周縁壁５８の内側に配置され、第１乃至第３の支持壁５４〜５６における径方向外側に保持される。インシュレータ３３の保持部３３ａに保持された第１乃至第４のバスリング４１〜４４は、軸方向に並んで配置され、第３のバスリング４３が外鍔部５３の上面５３ａに接触し、第３のバスリング４３に接して第２のバスリング４２が、第２のバスリング４２に接して第１のバスリング４１が、また第１のバスリング４１に接して第４のバスリング４４が、それぞれ配置される。
【００６０】
第１乃至第４のバスリング４１〜４４は、保持部３３ａに対する軸方向の相対移動によって第２の支持壁５５の先端部に設けられた突起５７を越えて保持部３３ａに保持される。つまり、第１乃至第４のバスリング４１〜４４は、第１乃至第３の支持壁５４〜５６と周縁壁５８との間に、第１乃至第３の支持壁５４〜５６の先端部側から外鍔部５３の上面５３ａに向かって軸方向に順次挿入されて保持部３３ａに保持され、この挿入の際に突起５７を乗り越える。
【００６１】
第１乃至第４のバスリング４１〜４４の被保持部４１２，４２２，４３２が突起５７を乗り越える際、第２の支持壁５５は弾性変形して外壁部５１側に湾曲する。第１乃至第４のバスリング４１〜４４が保持されると、突起５７は第４のバスリング４４を係止して、第４のバスリング４４の抜け出しを抑止する。これにより、第１乃至第３のバスリング４１〜４３も、保持部３３ａからの抜け出しが抑止される。
【００６２】
（電動機１の製造方法）
次に、電動機１の製造方法について説明する。なお、以下に述べる製造方法は、電動機１の製造方法の具体的な一例として示すものであり、この手順によらなくとも電動機１を製造することが可能である。
【００６３】
電動機１の製造方法は、コア３１にインシュレータ３３を装着してインシュレータ３３の絶縁部５０，６０に巻線３２を巻き回した複数のコア組立体３０を製造するコア組立体製造工程と、複数のコア組立体３０を環状に配置してステータ３を形成する配置工程と、Ｕ相、Ｖ相、及びＷ相の巻線３２Ｕ，３２Ｖ，３２Ｗのうち、少なくとも一部の巻線をステータ３の軸方向における第１乃至第３のバスリング４１〜４３の位置に応じて屈曲し、第１乃至第３のバスリング４１〜４３との接続部位の位置を合わせる位置合わせ工程と、インシュレータ３３の保持部３３ａに第１乃至第４のバスリング４１〜４４を保持する保持工程と、Ｕ相，Ｖ相，及びＷ相の巻線３２Ｕ，３２Ｖ，３２Ｗの一方の端部３２１Ｕ，３２１Ｖ，３２１Ｗと第１乃至第３のバスリング４１〜４３とを接続する第１の接続工程と、Ｕ相，Ｖ相，及びＷ相の巻線３２Ｕ，３２Ｖ，３２Ｗの他方の端部３２２Ｕ，３２２Ｖ，３２２Ｗと第４のバスリング４４とを接続する第２の接続工程とを有する。
【００６４】
図１０（ａ）〜（ｃ）は、保持工程及び位置合わせ工程を説明するための説明図である。本実施の形態では、保持工程と位置合わせ工程とを同時に行う。
【００６５】
保持工程では、第３のバスリング４３、第２のバスリング４２、第１のバスリング４１、及び第４のバスリング４４を、この順序で順次各インシュレータ３３の第１乃至第３の支持壁５４〜５６と周縁壁５８との間の収容空間Ｓに挿入する。そして、第４のバスリング４４が突起５７に係止されることにより、第１乃至第４のバスリング４１〜４４が各インシュレータ３３の保持部３３ａに保持される。
【００６６】
第３のバスリング４３、第２のバスリング４２、第１のバスリング４１を収容空間Ｓに挿入する際、Ｕ相、Ｖ相、及びＷ相の巻線３２Ｕ，３２Ｖ，３２Ｗの一方の端部３２１Ｕ，３２１Ｖ，３２１Ｗと第１乃至第３のバスリング４１〜４３の接続部４１ａ，４２ａ，４３ａとの位置合わせが行われる。つまり、第１乃至第３のバスリング４１〜４３を収容空間Ｓに挿入する前の状態では、図９（ａ）に示すように、巻線３２の一方の端部３２１がその先端部ほど外鍔部３５の上面３５ａから離間するように径方向に対して傾斜しているが、第３のバスリング４３を収容空間Ｓに挿入することにより、図１０（ａ）に示すように、巻線３２Ｗの一方の端部３２１Ｗが接続部４３ａのＵ字部４３１に挿通された状態で、Ｗ相の巻線３２Ｗが第３のバスリング４３の下方（上面３５ａ側）への移動に伴って下方に屈曲される。
【００６７】
また、図１０（ｂ）に示すように、第３のバスリング４３上に第２のバスリング４２を配置することにより、巻線３２Ｖの一方の端部３２１Ｖが接続部４２ａのＵ字部４２１に挿通された状態で、Ｖ相の巻線３２Ｖが第２のバスリング４２の下方への移動に伴って下方に屈曲される。またさらに、図１０（ｃ）に示すように、第２のバスリング４１上に第１のバスリング４１を配置することにより、巻線３２Ｕの一方の端部３２１Ｕが接続部４１ａのＵ字部４１１に挿通される。なお、本実施の形態では、第１のバスリング４１を収容空間Ｓに挿入する際には、巻線３２Ｕが屈曲されないように、コア組立体３０における巻線３２の一方の端部３２１の位置及び傾き角度が設定されている。
【００６８】
図１１は、第４のバスリング４４を示す平面図であり、（ａ）は保持工程を行う前の状態を、（ｂ）は保持工程において第４のバスリング４４を収容空間Ｓに挿入する際の状態を、それぞれ示す。
【００６９】
第４のバスリング４４は、図１１（ａ）に示すように、１本の絶縁電線を屈曲してリング状に成形されている。この絶縁電線の両端部４４ｂ，４４ｃは、互いに連結されることなく、それぞれが自由端となっている。
【００７０】
第４のバスリング４４を収容空間Ｓに挿入する際には、図１１（ｂ）に示すように、周方向の一部が径方向にオーバーラップするように全体を弾性的に縮径させ、複数のインシュレータ３３の収容空間Ｓに順次挿入する。図１１（ｂ）に示す例では、第４のバスリング４４の一方の端部４４ｂが他方の端部４４ｃよりも外周側にあるので、一方の端部４４ｂから他方の端部４４ｃに向かって、各接続部４４ａの間における複数の被保持部４４２を複数のインシュレータ３３のそれぞれの収容空間Ｓに順次挿入する。
【００７１】
縮径された第４のバスリング４４は、その復元力によって拡径するが、各被保持部４４２の径方向外方への移動は、インシュレータ３３の周縁壁５８によって規制される。また、前述のように、巻線３２の他方の端部３２２Ｕ，３２２Ｖ，３２２Ｗは、軸方向に沿ってインシュレータ３３の引き出し部５９から引き出されているので、縮径された第４のバスリング４４が復元力によって拡径することにより、巻線３２の他方の端部３２２Ｕ，３２２Ｖ，３２２ＷがＵ字状に形成された接続部４４ａの径方向の奥側の位置に配置される。
【００７２】
つまり、第４のバスリング４４は、弾性的に縮径した状態でＵ相、Ｖ相、及びＷ相の巻線３２Ｕ，３２Ｖ，３２Ｗの他方の端部３２２Ｕ，３２２Ｖ，３２２Ｗが接続部４４ａに挿通され、この端部３２２Ｕ，３２２Ｖ，３２２Ｗは、第４のバスリング４４の復元に伴う拡径によって接続部４４ａの奥側に配置される。その後、Ｕ相、Ｖ相、及びＷ相の巻線３２Ｕ，３２Ｖ，３２Ｗの他方の端部３２２Ｕ，３２２Ｖ，３２２Ｗが挿通された状態の接続部４４ａを加締めることによって、Ｕ相、Ｖ相、及びＷ相の巻線３２Ｕ，３２Ｖ，３２Ｗと第４のバスリング４４とが電気的に接続される。
【００７３】
図１２は、第１の接続工程を説明するための模式図であり、（ａ）は第１の接続工程を行う前の第１のバスリング４１のＵ字部４１１及びＵ相の巻線３２Ｕの一方の端部３２１Ｕを、（ｂ）は第１の接続工程を行った後の第１のバスリング４１のＵ字部４１１及びＵ相の巻線３２Ｕの一方の端部３２１Ｕを示している。なお、図１０では、例として第１のバスリング４１のＵ字部４１１にＵ相の巻線３２Ｕの一方の端部３２１Ｕを接続する際の状態を示しているが、第２及び第３のバスリング４２，４３のＵ字部４２１，４３１とＶ相及びＷ相の巻線３２Ｖ，３２Ｗの一方の端部３２１Ｖ，３２１Ｗとの接続も、同様に行うことができる。
【００７４】
第１乃至第３のバスリング４１〜４３とＵ相，Ｖ相，及びＷ相の巻線３２Ｕ，３２Ｖ，３２Ｗとは、各巻線の一方の端部３２１Ｕ，３２１Ｖ，３２１Ｗが挿通された状態のＵ字部４１１，４２１，４３１を加締めることによって電気的に接続される。
【００７５】
より具体的に、本実施の形態では、この接続を熱加締め（ヒュージング）によって行う。すなわち、各巻線の一方の端部３２１Ｕ，３２１Ｖ，３２１Ｗが挿通された状態のＵ字部４１１，４２１，４３１を加熱しながら加締めることによって第１乃至第３のバスリング４１〜４３とＵ相，Ｖ相，及びＷ相の巻線３２Ｕ，３２Ｖ，３２Ｗとを電気的に接続する。Ｕ字部４１１，４２１，４３１には予め錫メッキが施され、加熱によってメッキされた錫が溶融することにより、電気的な接続がより確実となる。
【００７６】
この熱加締めは、図１２（ａ）に示すように、正電極７１をＵ字部４１１の軸部４１１ｂに接触させると共に、負電極７２をＵ字部４１１の軸部４１１ｃに接触させ、軸部４１１ｂ，４１１ｃを正電極７１及び負電極７２によってＵ相の巻線３２Ｕの一方の端部３２１Ｕに押し付けながら、正電極７１と負電極７２との間に直流電圧を印加する。すると、この正電極７１から、Ｕ字部４１１の軸部４１１ｂ、巻線３２Ｕの一方の端部３２１Ｕ、Ｕ字部４３１の軸部４１１ｃを介して負電極７２に直流電流が流れ、そのジュール熱によって先ずメッキされた錫が溶融し、続いてＵ字部４１１の軸部４１１ｂ，４１１ｃならびに端部３２１Ｕの一部が溶融する。これにより、第１のバスリング４１のＵ字部４１１とＵ相の巻線３２Ｕの一方の端部３２１Ｕとが電気的に接続される。
【００７７】
なお、この熱加締めによって、図１２（ｂ）に示すように一対の軸部４１１ｂ，４１１ｃ間の距離が狭くなるが、この軸部４１１ｂ，４１１ｃ間の距離の変化は、接続部４１ａ一対の延在部４１３の傾きが変化することによって吸収される。つまり、第１の接続工程では、巻線３２Ｕの一方の端部３２１Ｕが第１のバスリング４１のＵ字部４１１に挿通された状態でＵ字部４１１の周方向の両側から加締められ、この端部３２１ＵをＵ字部４１１の一対の軸部４１１ｂ，４１１ｃ間に挟んだ状態とし、電気的に接続する。この接続後において、一対の延在部４１３同士、及び折り曲げ部４１３ａ同士は互いに接触せず、加締めによって第１のバスリング４１が縮径してしまうことが抑制されている。
【００７８】
なお、第２及び第３のバスリング４１，４２においても、一対の延在部４２３，４３３は、第１のバスリング４１と同様に、Ｕ字部４２１，４３１が巻線３２Ｖ，３２Ｗの一方の端部３２１Ｖ，３２１Ｗに接続された状態で、互いに接触しない。
【００７９】
（第１の実施の形態の作用及び効果）
以上説明した実施の形態によれば、以下のような作用及び効果が得られる。
【００８０】
（１）第１乃至第４のバスリング４１〜４４がインシュレータ３３に形成された保持部３３ａに保持されるので、例えばモールド成形された樹脂によって第１乃至第４のバスリング４１〜４４を一体化する必要がなく、集配電リング４ひいては電動機１の製造コストを低減することが可能となる。
【００８１】
（２）第１乃至第４のバスリング４１〜４４は、第１乃至第３の支持壁５４〜５６に支持され、かつ突起５７によって軸方向移動が規制されて抜け止めされているので、第１乃至第４のバスリング４１〜４４を保持部３３ａに確実に保持することができる。
【００８２】
（３）第１乃至第４のバスリング４１〜４４は、第２の支持壁５５の軸方向の端部に設けられた突起５７を越えて保持部３３ａに保持されるので、一旦収容空間Ｓに挿入された第１乃至第４のバスリング４１〜４４の被保持部４１２，４２２，４３２，４４２が容易に収容空間Ｓから抜け出すことが抑制される。また、第１乃至第４のバスリング４１〜４４は、前述のようにそれぞれ互いに接触しているので、第１乃至第４のバスリング４１〜４４のうち、最も上方（外鍔部５３の上面５３ａから離間する方向）に位置する第４のバスリング４４に接触する突起５７を形成することにより、第１乃至第４のバスリング４１〜４４を抜け止めすることができ、第１乃至第３のバスリング４１〜４３をそれぞれ抜け止めする抜け止め機構が不要となる。
【００８３】
（４）第１乃至第３の支持壁５４〜５６は、ステータ３の軸方向に延在し、第１乃至第４のバスリング４１〜４４は、第１乃至第３の支持壁５４〜５６におけるステータ３の径方向外側に保持されるので、Ｕ字部４１１，４２１，４３１の加締めによって第１乃至第３のバスリング４１〜４３が縮径しても、その縮径によって被保持部４１２，４２２，４３２が第１乃至第３の支持壁５４〜５６に押し付けられ、より確実に第１乃至第３のバスリング４１〜４３が保持部３３ａに保持される。
【００８４】
（５）第１乃至第４のバスリング４１〜４４は、第１乃至第３の支持壁５４〜５６と周縁壁５８との間に挟まれて保持されるので、例えば第４のバスリング４４の周方向の一部が径方向外側に膨らんで突起５７を乗り越えて抜け出してしまうことが抑制され、第１乃至第４のバスリング４１〜４４の保持部３３ａへの保持をより確実に行うことができる。
【００８５】
（６）第１乃至第３のバスリング４１〜４３は、それぞれ一本の絶縁電線を屈曲してＵ字部４１１，４２１，４３１、被保持部４１２，４２２，４３２、及び延在部４１３，４２３，４３３が形成され、Ｕ相，Ｖ相，及びＷ相の巻線３２Ｕ，３２Ｖ，３２Ｗの一方の端部３２１Ｕ，３２１Ｖ，３２１ＷがＵ字部４１１，４２１，４３１に挿通された状態で電気的に接続されるので、例えば接続端子によって第１乃至第３のバスリング４１〜４３とＵ相，Ｖ相，及びＷ相の巻線３２Ｕ，３２Ｖ，３２Ｗとを接続する必要がなく、製造効率を高めて集配電リング４ひいては電動機１の製造コストを低減することが可能となる。
【００８６】
（７）第１乃至第３のバスリング４１〜４３とＵ相，Ｖ相，及びＷ相の巻線３２Ｕ，３２Ｖ，３２Ｗとは、Ｕ字部４１１，４２１，４３１の熱加締めによって接続されるので、強固に接続することが可能となる。
【００８７】
（８）Ｕ字部４１１，４２１，４３１には、予め錫メッキが施されているので、熱加締めにおける加熱によってメッキされた錫が溶融することにより、電気的な接続がより確実となる。
【００８８】
（９）第１乃至第３の支持壁５４〜５６は、ステータ３の周方向に沿って間隔をあけて配置されているので、第１の支持壁５４と第２の支持壁５５との間、及び第３の支持壁５６と第２の支持壁５５との間から接続部４１ａ，４２ａ，４３ａ，４４ａを径方向内方に突出させ、巻線３２の一方の端部３２１及び他方の端部３２２に容易に接続することが可能となる。
【００８９】
（１０）第１の支持壁５４と第２の支持壁５５との間隔、及び第３の支持壁５６と第２の支持壁５５との間隔は、第１乃至第３のバスリング４１，４２，４３の接続部４１ａ，４２ａ，４３ａの周方向の幅に対応した幅であるので、Ｕ字部４１１，４２１，４３１を切り欠き５１ａに対向する位置、すなわちＵ相，Ｖ相，及びＷ相の巻線３２Ｕ，３２Ｖ，３２Ｗの一方の端部３２１Ｕ，３２１Ｖ，３２１Ｗを挿通させる位置に位置決めすることが可能となり、組み付け性が向上する。
【００９０】
（１１）第１乃至第３のバスリング４１〜４３は、同一の形状であり、Ｖ相及びＷ相の巻線３２Ｖ，３２Ｗの一方の端部３２１Ｖ，３２１Ｗは、径方向における接続部４２ａ，４３ａの位置に応じて屈曲されるので、集配電リング４及び電動機１における部品の種類の数を削減することができ、また誤組み付けによる不良品の発生も抑制することができると共に、第１乃至第３のバスリング４１〜４３と各相の巻線３２Ｕ，３２Ｖ，３２Ｗとの電気的な接続を確実に行うことができる。
【００９１】
（１２）一対の延在部４１３，４１３，４３３は、Ｕ字部４１１，４２１，４３１が巻線３２Ｕ，３２Ｖ，３２Ｗの一方の端部３２１Ｕ，３２１Ｖ，３２１Ｗに接続された状態において互いに接触しないので、第１乃至第３のバスリング４１〜４３とＵ相，Ｖ相，及びＷ相の巻線３２Ｕ，３２Ｖ，３２Ｗとの接続時において、一対の延在部４１３，４１３，４３３同士の接触によってＵ字部４１１，４２１，４３１の加締めが妨げられることなく、確実に接続を行えると共に、Ｕ字部４１１，４２１，４３１の加締めによって第１乃至第３のバスリング４１〜４３が縮径してしまうことを抑制することができる。
【００９２】
なお、本実施の形態では、巻線３２の一方の端部３２１を予め上方（外鍔部５３の上面５３ａから離間する方向）に突出させ、ステータ３の軸方向における第１乃至第３のバスリング４１〜４３の位置に応じて外壁部５１から突出した巻線３２を下方に屈曲させる場合について説明したが、これとは逆に、巻線３２の一方の端部３２１を予め下方に突出させ、第１乃至第３のバスリング４１〜４３の位置に応じて上方に屈曲させてもよい。すなわち、Ｕ相，Ｖ相，及びＷ相の巻線３２Ｕ，３２Ｖ，３２Ｗのうち少なくとも一部の巻線をステータ３の軸方向における第１乃至第３のバスリング４１〜４３の位置に応じて屈曲させれば、第１乃至第３のバスリング４１〜４３を同一の形状として本実施の形態の効果を得ることができる。
【００９３】
［第２の実施の形態］
次に、本発明の第２の実施の形態について説明する。
【００９４】
図１３は、第２の実施の形態に係るインシュレータ３３の第２の支持壁５５Ａ及びその周辺部を拡大して示す断面図である。本実施の形態に係るインシュレータ３３は、その第２の支持壁５５Ａの形状が第１の実施の形態に係る第２の支持壁５５の形状と異なる他は、第１の実施の形態と同様であるので、第１の実施の形態について説明した構成要素と共通する構成要素については、第１の実施の形態で用いた符号と同一の符号を付してその重複した説明を省略する。
【００９５】
本実施の形態に係る第２の支持壁５５Ａは、その外周面５５０に第１乃至第３の突部５５３〜５５５が形成されている。外周面５５０からの第１乃至第３の突部５５３〜５５５の径方向の突出量は、突起５７の外周面５５０からの径方向の突出量よりも小さい。これにより、第１乃至第３のバスリング４１〜４３が第１乃至第３の突部５５３〜５５５を乗り越えるために必要な軸方向の押圧力は、第１乃至第４のバスリング４１〜４４が突起５７を乗り越えるために必要な軸方向の押圧力よりも小さくなっている。
【００９６】
第１乃至第４のバスリング４１〜４４が保持部３３ａに保持されたとき、第１の突部５５３は第１のバスリング４１と第４のバスリング４４との間に位置し、第２の突部５５４は、第２のバスリング４２と第１のバスリング４１との間に位置する。また、第３の突部５５５は、第３のバスリング４３と第２のバスリング４２との間に位置する。
【００９７】
本実施の形態によれば、第１乃至第３のバスリング４１〜４３が保持部３３ａから抜け出す軸方向の力を受けた場合でも、その力が第１乃至第３の突部５５３〜５５５に作用し、第１乃至第３のバスリング４１〜４３が第１乃至第３の突部５５３〜５５５から受ける反力によって保持部３３ａからの抜け出しが抑制される。
【００９８】
なお、第１乃至第３の突部５５３〜５５５は、第２の支持壁５５Ａの幅方向（周方向）の全体に亘って形成してもよく、幅方向の一部のみに形成してもよい。また、図１３では、第１乃至第３の突部５５３〜５５５の断面形状が台形状である場合について例示したが、第１乃至第３の突部５５３〜５５５の断面形状に特に限定はなく、例えば半円状であってもよい。またさらに、第１乃至第３の突部５５３〜５５５のうち、一部の突部を省略してもよい。
【００９９】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【０１００】
［１］環状に配置された複数のコア（３１）と、前記複数のコア（３１）にそれぞれ巻き回された巻線（３２）と、前記コア（３１）と前記巻線（３２）との間を絶縁するインシュレータ（３３）とを備えたステータ（３）に、前記巻線（３２）に電流を集配電する環状の複数の集配電部材（４１〜４４）を保持する集配電部材（４１〜４４）の保持構造であって、前記インシュレータ（３３）には、前記複数の集配電部材（４１〜４４）を保持する保持部（３３ａ）が形成されており、前記複数の集配電部材（４１〜４４）が前記保持部（３３ａ）に保持された、集配電部材（４１〜４４）の保持構造。
【０１０１】
［２］前記保持部（３３ａ）は、前記複数の集配電部材（４１〜４４）を一括して前記ステータ（３）の軸方向に沿って支持する支持部（５４〜５６）と、前記支持部（５４〜５６）に対する前記複数の集配電部材（４１〜４４）の前記軸方向への移動を規制する規制部（５７）とを有する、前記［１］に記載の集配電部材（４１〜４４）の保持構造。
【０１０２】
［３］前記規制部（５７）は、前記支持部（５４〜５６）の前記軸方向の端部に設けられて前記ステータ（３）の径方向に突出する突起（５７）であり、前記複数の集配電部材（４１〜４４）は、前記保持部（３３ａ）に対する軸方向の相対移動によって前記突起（５７）を越えて前記保持部（３３ａ）に保持される、［２］に記載の集配電部材（４１〜４４）の保持構造。
【０１０３】
［４］前記支持部（５４〜５６）は、前記ステータ（３）の軸方向に延在し、前記複数の集配電部材（４１〜４４）は、前記支持部（５４〜５６）における前記ステータ（３）の径方向外側に保持される、前記［２］又は［３］に記載の集配電部材（４１〜４４）の保持構造。
【０１０４】
［５］前記保持部（３３ａ）は、前記複数の集配電部材（４１〜４４）よりも前記ステータ（３）の径方向外側に形成されて前記複数の集配電部材（４１〜４４）に対向する外周壁部（５８）をさらに有する、［４］に記載の集配電部材（４１〜４４）の保持構造。
【０１０５】
［６］前記集配電部材（４１〜４３）は、金属導体（４００）をＵ字状に屈曲して形成されたＵ字部（４１１，４２１，４３１）と、前記保持部（３３ａ）に保持される被保持部（４１２，４２２，４３２）と、前記Ｕ字部（４１１，４２１，４３１）の両端と前記被保持部（４１２，４２２，４３２）との間に径方向に延在して設けられた一対の延在部（４１３，４２３，４３３）とを一体に有し、前記Ｕ字部（４１１，４２１，４３１）に前記巻線（３２）の端部（３２１）が挿通された状態で、前記集配電部材（４１〜４３）と前記巻線（３２）とが電気的に接続された、前記［１］乃至［５］の何れか１項に記載の集配電部材（４１〜４３）の保持構造。
【０１０６】
［７］前記集配電部材（４１〜４３）と前記巻線（３２）とが、前記巻線（３２）の端部（３１１）が挿通された状態の前記Ｕ字部（４１１，４２１，４３１）を加締めることによって電気的に接続された、前記［６］に記載の集配電部材（４１〜４３）の保持構造。
【０１０７】
［８］前記Ｕ字部（４１１，４２１，４３１）には錫メッキが施され、前記集配電部材（４１〜４３）と前記巻線（３２）とが、前記巻線（３２）の端部が挿通された状態の前記Ｕ字部（４１１，４２１，４３１）を熱加締めすることによって電気的に接続された、前記［６］に記載の集配電部材（４１〜４３）の保持構造。
【０１０８】
［９］前記一対の延在部（４１３，４２３，４３３）は、前記Ｕ字部（４１１，４２１，４３１）が前記巻線（３２）の端部に電気的に接続された状態で、互いに接触しない、前記［７］又は［８］に記載の集配電部材（４１〜４４）の保持構造。
【０１０９】
［１０］前記ステータ（３）には、複数の前記支持部（５４〜５６）が前記ステータ（３）の周方向に沿って間隔をあけて配置され、前記集配電部材（４１〜４３）は、前記巻線（３２）に接続される接続部（４１ａ，４２ａ，４３ａ）が前記ステータ（３）の周方向に隣り合う一対の前記支持部（５４，５５）の間から前記ステータ（３）の径方向内側に突出して配置されている、前記［４］又は［５］に記載の集配電部材（４１〜４３）の保持構造。
【０１１０】
［１１］前記ステータ（３）の周方向に隣り合う一対の前記保持部（５４，５５）間の間隔が、前記接続部（４１ａ，４２ａ，４３ａ）の周方向の幅（ＷＵ）に対応した間隔である、前記［１０］に記載の集配電部材（４１〜４３）の保持構造。
【０１１１】
［１２］前記複数の集配電部材（４１〜４３）は、同一の形状である、前記［１］乃至［１１］の何れか１つに記載の集配電部材（４１〜４３）の保持構造。
【０１１２】
［１３］前記複数の巻線（３２）のうち少なくとも一部の巻線（３２）は、前記ステータ（３）の軸方向における前記複数の集配電部材（４１〜４３）の位置に応じて屈曲された、前記［１２］に記載の集配電部材（４１〜４３）の保持構造。
【０１１３】
［１４］環状に配置された複数のコア（３１）、前記コア（３１）に巻き回されたＵ相、Ｖ相、及びＷ相の巻線（３２Ｕ，３２Ｖ，３２Ｗ）、及び前記コア（３１）と前記巻線（３２Ｕ，３２Ｖ，３２Ｗ）との間を絶縁するインシュレータ（３３）を備えたステータ（３）と、前記Ｕ相の巻線（３２Ｕ）に電流を集配電する環状の第１の集配電部材（４１）と、前記Ｖ相の巻線（３２Ｖ）に電流を集配電する環状の第２の集配電部材（４２）と、前記Ｗ相の巻線（３２Ｗ）に電流を集配電する環状の第３の集配電部材（４４）とを備え、前記インシュレータ（３３）は、前記第１乃至第３の集配電部材（４１〜４３）を保持する保持部（３３ａ）を有し、前記第１乃至第３の集配電部材（４１〜４３）が前記保持部（３３ａ）に保持された、電動機（１）。
【０１１４】
［１５］前記保持部（３３ａ）に前記第１乃至第３の集配電部材（４１〜４３）と共に保持され、前記Ｕ相、Ｖ相、及びＷ相の巻線（３２Ｕ，３２Ｖ，３２Ｗ）に接続される中性相の環状の第４の集配電部材（４４）をさらに備え、前記第４の集配電部材（４４）は、径方向内方に開口するＵ字状の複数の接続部（４４ａ）を有し、前記Ｕ相、Ｖ相、及びＷ相の巻線（３２Ｕ，３２Ｖ，３２Ｗ）の端部（３２２Ｕ，３２２Ｖ，３２２Ｗ）が挿通された状態の前記第４の集配電部材（４４）の前記接続部（４４ａ）を加締めることによって、前記Ｕ相、Ｖ相、及びＷ相の巻線（３２Ｕ，３２Ｖ，３２Ｗ）に電気的に接続された、前記［１４］に記載の電動機（１）。
【０１１５】
［１６］前記［１４］又は［１５］に記載の電動機（１）の製造方法であって、前記保持部（３３ａ）に前記第１乃至第３の集配電部材（４１〜４３）を保持する保持工程と、前記Ｕ相、Ｖ相、及びＷ相（３２Ｕ，３２Ｖ，３２Ｗ）の巻線と前記第１乃至第３の集配電部材（４１〜４３）とを接続する接続工程とを有する、電動機（１）の製造方法。
【０１１６】
［１７］前記Ｕ相、Ｖ相、及びＷ相の巻線（３２Ｕ，３２Ｖ，３２Ｗ）のうち少なくとも一部の巻線（３２）を前記第１乃至第３の集配電部材（４１〜４３）における前記ステータ（３）の軸方向の位置に応じて屈曲し、前記第１乃至第３の集配電部材（４１〜４３）との接続部位（４１１，４２１，４３１）の位置を合わせる位置合わせ工程をさらに有する、前記［１６］に記載の電動機（１）の製造方法。
【０１１７】
［１８］前記［１５］に記載の電動機（１）の製造方法であって、前記第４の集配電部材（４４）は、弾性的に縮径した状態で前記Ｕ相、Ｖ相、及びＷ相の巻線（３２Ｕ，３２Ｖ，３２Ｗ）の端部（３２２Ｕ，３２２Ｖ，３２２Ｗ）が前記接続部（４４ａ）に挿通され、前記Ｕ相、Ｖ相、及びＷ相の巻線（３２Ｕ，３２Ｖ，３２Ｗ）の端部（３２２Ｕ，３２２Ｖ，３２２Ｗ）は、前記第４の集配電部材（４４）の復元に伴う拡径によって前記接続部（４４ａ）の奥側に配置される、電動機（１）の製造方法。
【符号の説明】
【０１１８】
１…電動機、２…ロータ、３…ステータ、４…集配電リング、５…第１部材、６…第２部材、２１…シャフト、２２…磁石、３０…コア組立体、３１…コア、３１Ｕ…Ｕ相のコア、３１Ｖ…Ｖ相のコア、３１Ｗ…Ｗ相のコア、３２…巻線、３２Ｕ…Ｕ相の巻線、３２Ｖ…Ｖ相の巻線、３２Ｗ…Ｗ相の巻線、３３…インシュレータ、３３ａ…保持部、３５…外鍔部、３５ａ…上面、４１…第１のバスリング（第１の集配電部材）、４１ａ…接続部、４２…第２のバスリング（第２の集配電部材）、４２ａ…接続部、４３…第３のバスリング（第３の集配電部材）、４３ａ…接続部、４４…第４のバスリング（第４の集配電部材）、４４ａ…接続部、４４ｂ…一方の端部、４４ｃ…他方の端部、５０，６０…絶縁部、５１，６１…外壁部、５２，６２…内壁部、５３…外鍔部、５３ａ…上面、５４…第１の支持壁、５５，５５Ａ…第２の支持壁、５６…第３の支持壁、５７…突起、５８…周縁壁、５９…引き出し部、６１…外壁部、６２…内壁部、７１…正電極、７２…負電極、３１０…電磁鋼板、３１１…延在部、３１２…バックヨーク部、３１２ａ…凸部、３１２ｂ…凹部、３２１…端部、３２１Ｕ，３２１Ｖ，３２１Ｗ…一方の端部、３２２…端部、３２２Ｕ，３２２Ｖ，３２２Ｗ…他方の端部、４００…中心導体、４０１…絶縁体、４１０，４２０，４３０…給電端子、４１１，４２１，４３１…Ｕ字部、４１１ａ…円弧部、４１１ｂ，４１１ｃ…軸部、４１２，４２２，４３２…被保持部、４１３，４２３，４３３…延在部、４１３ａ…折り曲げ部、５４１…ガイド部、５５０…外周面、５５１，５５２…ガイド部、５５３〜５５５…第１乃至第３の突部、５６１…ガイド部
【図１】
2015046960.tif 000003
【図２】
2015046960.tif 000004
【図３】
2015046960.tif 000005
【図４】
2015046960.tif 000006
【図５】
2015046960.tif 000007
【図６】
2015046960.tif 000008
【図７】
2015046960.tif 000009
【図８】
2015046960.tif 000010
【図９】
2015046960.tif 000011
【図１０】
2015046960.tif 000012
【図１１】
2015046960.tif 000013
【図１２】
2015046960.tif 000014
【図１３】
2015046960.tif 000015